(57)【要約】【課題】遊技機に非正規の基板を取り付ける不正行為を有効に抑止する。【解決手段】基板１００の表面１００ａに配置されたグランド用の配線パターン１０１と、基板１００の裏面１００ｂに配置されたグランド用の配線パターン１０４と、これらの配線パターンを接続するスルーホール１０６と、表面１００ａにシルク印刷または刻印により形成される部品情報１５０と、読取機を用いることにより基板１００の識別情報の読み取りが可能になるＱＲコード（登録商標）１２０と、表面にＱＲコード（登録商標）１２０が形成され、裏面に接着剤が塗布されたシール１３１とが備えられ、シール１３１は表面１００ａ側の所定の貼付領域１３２に貼り付けられ、貼付領域１３２全ては単一のベタ配線パターンである配線パターン１０１上にあり、スルーホール１０６および部品情報１５０は貼付領域１３２を避けるように配置されている。【選択図】図４
2020000500.tif 000002
【特許請求の範囲】
【請求項１】
基板を備える遊技機であって、
前記基板の一の面に配置された単一のベタ配線パターンであって、電位が所定値である第１配線パターンと、
前記基板の前記一の面と反対側の他の面に配置され、電位が前記所定値である第２配線パターンと、
前記第１配線パターンと前記第２配線パターンとを接続するスルーホールと、
前記一の面側にシルク印刷または刻印により形成される特定情報と、
読取機を用いることにより前記基板の識別情報の読み取りが可能になる識別記号と、
表面に前記識別記号が形成され、裏面に接着剤が塗布されたシールと
を備え、
前記シールは前記一の面側の所定の貼付領域に貼り付けられ、
前記貼付領域全ては前記単一のベタ配線パターン上にあり、
前記スルーホールおよび前記特定情報は前記貼付領域を避けるように配置されている
ことを特徴とする遊技機。
【請求項２】
前記スルーホールは前記貼付領域に隣接する所定の第１隣接領域を避けるように配置されていることを特徴とする請求項１に記載の遊技機。
【請求項３】
前記識別記号の配置領域および当該配置領域に隣接する所定の第２隣接領域は、前記一の面からの背の高さが所定値以上となる可能性がある特定部品を設置しない禁止領域とすることを特徴とする請求項１または２に記載の遊技機。
【請求項４】
前記一の面に配置された複数の部品のうち、当該一の面からの背の高さが一番高い部品を、前記識別記号の配置領域および当該配置領域に隣接する所定の第２隣接領域には設置しないことを特徴とする請求項１または２に記載の遊技機。
【発明の詳細な説明】
【技術分野】
【０００１】
本発明は、セキュリティ対策の必要な基板を備える遊技機に関する。
【背景技術】
【０００２】
従来、パチンコ機やスロットマシン等の遊技機では、遊技機の動作を制御するための例えばＣＰＵ、ＲＡＭ、ＲＯＭの各種部品が実装された基板（メイン制御基板やサブ制御基板）が、合成樹脂性の基板ケースの内部に収容されている。
【０００３】
ところが、基板ケースをこじあけて基板を不正なものと取り替えて、予め定められている以上の確率で賞球やメダルの払い出しを受ける不正行為が行われる虞がある。このような不正行為に対抗するために、例えば、特許文献１に記載の遊技機では、基板ケースを形成するカバー部材とベース部材それぞれに正規の基板ケースか否かを識別する同一かつ固有の識別表記を個別に設けるようにしている。
【先行技術文献】
【特許文献】
【０００４】
【特許文献１】特開２００９−１６５５６５号公報（段落００４７、００５３、００７４、請求項１等参照）
【発明の概要】
【発明が解決しようとする課題】
【０００５】
しかしながら、特許文献１のように正規の基板ケースに識別表記を設けても、ホールの従業員等は正規の基板ケース内に非正規の基板を収容するという不正行為に気が付かない虞があり、不正対策として有効性に欠けると思われる。
【０００６】
本発明は、上記課題に鑑みてなされたものであり、遊技機に非正規の基板を取り付ける不正行為を有効に抑止することを可能にすることを目的とする。
【課題を解決するための手段】
【０００７】
上記目的を達成するために、本発明にかかる遊技機は、基板を備える遊技機であって、前記基板の一の面に配置された単一のベタ配線パターンであって、電位が所定値である第１配線パターンと、前記基板の前記一の面と反対側の他の面に配置され、電位が前記所定値である第２配線パターンと、前記第１配線パターンと前記第２配線パターンとを接続するスルーホールと、前記一の面側にシルク印刷または刻印により形成される特定情報と、読取機を用いることにより前記基板の識別情報の読み取りが可能になる識別記号と、表面に前記識別記号が形成され、裏面に接着剤が塗布されたシールとを備え、前記シールは前記一の面側の所定の貼付領域に貼り付けられ、前記貼付領域全ては前記単一のベタ配線パターン上にあり、前記スルーホールおよび前記特定情報は前記貼付領域を避けるように配置されていることを特徴としている。
【０００８】
この構成によれば、正規の基板が非正規の基板に取り替えられても、基板の一の面に識別記号が形成されたシールが貼付されているため、取り替えられたことを容易に把握することができ、遊技機に非正規の基板を取り付ける不正行為を有効に防止することができる。また、識別記号自体は英数字等の人が見て容易に読み取ることができるものではないため、不正行為者が識別記号を見たとしても容易に複製することができず、この点からも不正行為を有効に防止することができる。
【０００９】
また、特定情報がシルク印刷により形成された場合には当該特定情報はその形成面から盛り上がるように形成されることになり、特定情報が刻印により形成された場合には当該特定情報がその形成面から窪むように形成されることになる。また、スルーホールの端はその形成面に対して凸凹になることがある。また、基板の表面上に形成された第１配線パターンは、当該第１配線パターンの縁の部分で基板の表面に対して段差が形成されることになる。
【００１０】
このため、仮にスルーホール及び特定情報が貼付領域を避けるようにして配置されていない場合や、貼付領域の一部が単一のベタ配線パターンである第１配線パターン上にあり、その他の部分が当該第１配線パターン上にない場合には、シールが、スルーホールや特定情報の上に貼付されたり、シールの一部が第１配線パターン上からはみ出すように貼付されたりして、シールの表面が凸凹になることがある。このような凸凹になったシールの表面に形成された識別記号を読取機で撮像した場合には、撮像した識別記号が歪んだものとなってしまい、これにより、識別記号の誤認識を招く可能性がある。また、シールがスルーホールや特定情報の上に貼り付けられたり、シールの一部が第１配線パターンからはみ出すように貼付されたりして、凸凹がある面に貼付された場合、シールは経年変化により剥がれやすくなったり、傷つきやすくなったりする。仮に、シールが剥がれたり、傷ついたりした場合には、不正行為があったと誤認される恐れがあり、このような場合には遊技機を稼動することができなくなるという不具合がある。
【００１１】
これに対して、上記の構成によれば、シールの貼付領域全体が単一のベタ配線パターンである第１配線パターン上にあり、スルーホールや特定情報は貼付領域を避けるように配置されているため、シールはスルーホールや特定情報を避けて、その全体が単一のベタ配線パターンである第１配線パターン上に存在するように、当該第１配線パターン上の貼付領域に貼付されることになる。これにより、シールの表面は略平面になり、このような略平面のシールの表面に形成された識別記号を読取機で撮像した場合には、撮像した識別記号がほとんど歪むことがなく、これにより、識別記号の誤認識を防止することができる。また、シールはスルーホールや特定情報を避け、その一部が単一のベタ配線パターンである第１配線パターンからはみ出すことなくその全体が当該第１配線パターン上に存在するように、略平面上に貼付されるため、スルーホールや特定情報による凸凹や、第１配線パターンの縁での段差に起因してシールが経年変化により剥がれやすくなったり、傷つきやすくなったりすることが防止でき、上記の不具合を効果的に抑えることができる。
【００１２】
また、スルーホールや特定情報、各種配線パターンの段差に起因してシール１３１の表面が凸凹になるのを避けるためには、シール１３１の貼付領域１３２全体が、単一のベタ配線パターンである第１配線パターン上に存在するようにする場合（以下、適宜、「第１貼付領域形成領域パターン」と記載する。）と、基板の表面のうちの配線パターンのない部分（以下、「非配線パターン部分」と記載する。）上に存在するようにする場合（以下、適宜、「第２貼付領域形成領域パターン」と記載する。）と、が考えられる。このとき、例えば光を使う読取機を識別記号の読み取りに用いる場合を考える。基板として一般的に使用されるガラス基板やフレキシブル基板は光が透過してしまうこともあるので、非配線パターン部分上に全体が貼付されたシールの表面に形成された識別記号を読み取ろうとしても、読み取れないことがある（第２貼付領域形成領域パターンの場合）。これに対して、第１配線パターンは金属配線層により光を透過することがないので、第１配線パターン上に全体が貼付されたシール１３１の表面に形成された識別記号を、光が透過してしまうことに起因して読み取ることができないことが起こらず、読み取ることができる（第１貼付領域形成領域パターンの場合）。この点から、第１貼付領域形成領域パターンは第２貼付領域形成領域パターンに比べて、優れていると言える。
【００１３】
また、前記スルーホールは前記貼付領域に隣接する所定の第１隣接領域を避けるように配置されているとしてもよい。
【００１４】
ところで、識別記号内またはその近傍にスルーホールが存在し、識別記号を読取機で撮像した場合には、読取機による撮像画像にスルーホールが写りこみ、この写りこんだスルーホールを識別記号と区別できずに識別記号の一部として認識してしまい、これにより、識別記号の誤認識を招く可能性がある。これに対して、上記の構成によれば、識別記号が形成されたシールの貼付領域及び当該識別記号の貼付領域に隣接する所定の第１隣接領域を避けるようにスルーホールが配置されているので、読取機がスルーホールを識別記号の一部として読み取ることに起因する識別記号の誤認識を防止することができる。
【００１５】
また、前記識別記号の配置領域および当該配置領域に隣接する所定の第２隣接領域は、前記一の面からの背の高さが所定値以上となる可能性がある特定部品を設置しない禁止領域とするとしてもよい。
【００１６】
この構成によれば、読取機で識別記号を読み取る際に、部品に焦点が合って識別記号が大きくボケてしまい、識別記号を正しく読み取ることができなくなってしまうことを防止することができる。
【００１７】
また、前記一の面に配置された複数の部品のうち、当該一の面からの背の高さが一番高い部品を、前記識別記号の配置領域および当該配置領域に隣接する所定の第２隣接領域には設置しないとしてもよい。
【００１８】
この構成によれば、読取機で識別記号を読み取る際に、部品に焦点が合って識別記号が大きくボケてしまい、識別記号を正しく読み取ることができなくなってしまうことを防止することができる。
【図面の簡単な説明】
【００１９】
【図１】本発明の第１実施形態にかかるスロットマシンの斜視図である。
【図２】図１のスロットマシンの前面扉が開いた状態での斜視図である。
【図３】図１のスロットマシンの電気的構成を示すブロック図である。
【図４】図２の基板（メイン制御基板、サブ制御基板）の識別記号が形成されたシールの配置位置を説明するための平面図である。
【図５】識別記号とその周辺に配置された部品との関係を説明するための図であって、図４のＡ−Ａ断面図である。
【図６】（ａ）、（ｂ）は、識別記号とその周辺に配置された部品との関係を説明するための他の断面図である。
【図７】本発明の第２実施形態にかかる基板（メイン制御基板、サブ制御基板）の識別記号が形成されたシールの配置位置を説明するための平面図である。
【図８】（ａ）〜（ｃ）は、本発明の第３実施形態にかかる識別記号とその周辺に配置された部品との関係を説明するための断面図である。
【発明を実施するための形態】
【００２０】
＜第１実施形態＞
本発明の第１実施形態に係る遊技機の一例であるスロットマシン１について、図１〜図６を参照して説明する。
【００２１】
（構成）
スロットマシン１の構成の概略について図１、図２を参照して説明する。
【００２２】
この実施形態におけるスロットマシン１は、予め設定された複数の遊技状態のうちのいずれかの遊技状態において、メダルなどの遊技媒体が規定数投入されることを条件とする遊技者の操作に基づいて一回の遊技が実行されるものであって、例えば図１に示すように構成されている。すなわち、このスロットマシン１では、筐体３の前面が前面扉５により開閉自在に閉塞され、この前面扉５のほぼ中央高さの位置に操作板７が配設されると共に、この操作板７の上方に正面板９が配設されている。
【００２３】
そして、この正面板９には横長矩形の表示窓１１が設けられている。また、表示窓１１の内側には、図１、図２に示すように、複数種類の図柄を予め定められた順序で可変表示する左・中・右リール１３Ｌ，１３Ｍ，１３Ｒが配置されている。これら左・中・右リール１３Ｌ，１３Ｍ，１３Ｒには、複数種類の図柄が合計２１個、所定の配列でそれぞれ設けられている。また、各図柄には、０番から２０番までのコマ番号が順に付されている。そして、例えば、コマ番号０番から２０番までの図柄が印刷されたリールテープがリールの周面に貼り付けられて各リール１３Ｌ，１３Ｍ，１３Ｒがそれぞれ形成される。また、各リール１３Ｌ，１３Ｍ，１３Ｒが回転すると、コマ番号２０番、１９番、…、０番、２０番、…の予め定められた順に複数の図柄がそれぞれ表示窓１１に変動表示される。表示窓１１からは、各リール１３Ｌ，１３Ｍ，１３Ｒの回転が停止すると、図柄が上段、中段および下段にそれぞれ１個の合計３個ずつ覗くように設定されている。すなわち、３個すべてのリール１３Ｌ，１３Ｍ，１３Ｒが停止すると、縦３列横３行に配列された合計９個の図柄が表示窓１１に停止表示されるようになっている。なお、例えば、上段ライン、中段ライン、下段ライン、右上がりライン、右下がりラインの５ラインが入賞ラインとして設定されている。
【００２４】
また、各リール１３Ｌ，１３Ｍ，１３Ｒをそれぞれ独立して回転駆動できるように、各リール１３Ｌ，１３Ｍ，１３Ｒには、それぞれステッピングモータにより構成される図３に示すリールモータ１４Ｌ，１４Ｍ，１４Ｒが連結されている。
【００２５】
更に、操作板７には、内部に貯留されているクレジットメダルから１枚ずつのメダル投入を指示するためのベットスイッチ１５、クレジットメダルから１ゲーム（遊技）あたりの最大投入枚数（３枚に設定されている）のメダル投入を指示するための最大ベットスイッチ１７、各リール１３Ｌ，１３Ｍ，１３Ｒを回転させて各図柄の可変表示を開始させるレバー状のスタートスイッチ１９、左・中・右リール１３Ｌ，１３Ｍ，１３Ｒの回転をそれぞれ停止させて各図柄の可変表示を停止させる左・中・右ストップスイッチ２１Ｌ，２１Ｍ，２１Ｒ、クレジットメダルを払い出すための精算スイッチ２３、およびメダル投入口２５が設けられている。また、各リール１３Ｌ，１３Ｍ，１３Ｒにより複数種類の図柄を可変表示する複数の可変表示列が形成されており、各ストップスイッチ２１Ｌ，２１Ｍ，２１Ｒは、各リール１３Ｌ，１３Ｍ，１３Ｒそれぞれに対応して設けられている。
【００２６】
また、正面板９の上方のほぼ中央には、動画などを表示して遊技者に当選や入賞などを告知したり、各ストップスイッチ２１Ｌ，２１Ｍ，２１Ｒの操作態様を報知したりする演出を行うための液晶表示器２７が設けられている。また、液晶表示器２７のすぐ上方には、各種の入賞図柄が表示された説明パネル２９が設けられ、液晶表示器２７および説明パネル２９の左右には、音楽や音声などによる演出を行うためのスピーカ３１Ｌ，３１Ｒがそれぞれ設けられている。なお、図２に示すように、後述するメダル払出口３９の左右にもスピーカ３１Ｌ，３１Ｒがそれぞれ設けられている。また、説明パネル２９およびスピーカ３１Ｌ，３１Ｒの上辺には中央ランプ部３３Ｍが配設され、その左右には左・右ランプ部３３Ｌ，３３Ｒがそれぞれ配設されている。各ランプ部３３Ｍ，３３Ｌ，３３Ｒには、それぞれ発光ダイオードなどの光源が配設されている。これらのランプ部３３Ｍ，３３Ｌ，３３Ｒは一体的に形成され、遊技者に当選や入賞を告知するなどの演出を行うための上部ランプ部３３を構成している。
【００２７】
また、操作板７の下方には、装飾画などが表示された下部パネル３５が設けられ、この下部パネル３５の左右には、それぞれ複数の光源が例えば２列に並んで配置された下部ランプ部３７Ｌ，３７Ｒが設けられている。また、下部パネル３５の下方には、メダル払出口３９や、このメダル払出口３９から払い出されるメダルを受けるメダル受け４１が設けられている。また、正面板９の右下隅には、３つのリールに対する入賞ラインの位置を示す図形（図示省略）が描かれ、正面板９の左下隅にはクレジットメダルの貯留枚数を表示するクレジット表示器４５が配設されている。このクレジット表示器４５は、例えば２個の７セグメントＬＥＤで構成され、２桁の貯留枚数（最大で５０枚）が表示可能になっている。
【００２８】
また、図２に示すように、各リール１３Ｌ，１３Ｍ，１３Ｒを支持する支持枠体１３が、筐体３内の後壁に固定されている。筐体３内の支持枠体１３の下方には、図２に示すように、メダルをメダル払出口３９に排出するためのホッパーユニット４３が配設されている。また、メダル投入口２５付近の裏面側には、図２に示すように、メダル投入口２５に投入されたメダルが正規のものか否かを選別して正規のメダルのみをホッパーユニット４３に導くメダルセレクタ４８が配設されている。なお、筐体３内部には、メダル通路が設けられており、メダルセレクタ４８において非正規のメダルとして排除されたメダルや、ホッパーユニット４３から払い出されたメダルが、このメダル通路を通過してメダル払出口３９から払い出される。また、ホッパーユニット４３の左側には、図２に示すように、操作ボックス４９が筐体３内の左側壁に固定されている。この操作ボックス４９には、電源のオンオフを切り替える電源スイッチ５０（図３参照）が設けられるとともに、オンとオフとが切り替えられる設定変更開始処理用のキーシリンダからなる変更処理開始スイッチ５６（図３参照）、設定変更時の設定値の切り替えを行うのに用いられるリセットスイッチ５２（図３参照）が設けられている。ただし、変更処理開始スイッチ５６がオンの状態で電源スイッチ５０がオンにされると、リセットスイッチ５２を用いた設定変更処理が開始される。
【００２９】
続いて、スロットマシン１の電気的な構成について図３を参照して説明する。図３はスロットマシンの電気的構成を示すブロック図である。
【００３０】
図３において、投入センサ５３は、筐体３内部のメダル投入口２５近傍であってメダルセレクタ４８部分に設けられ、メダル投入口２５に投入されたメダルを１枚ずつ検出するものである。払出センサ５４は、ホッパーユニット４３の出口に設けられ、メダル払出口３９に払い出されるメダルを１枚ずつ検出するものである。
【００３１】
左・中・右位置センサ５５Ｌ，５５Ｍ，５５Ｒは、左・中・右リール１３Ｌ，１３Ｍ，１３Ｒの回転位置をそれぞれ検出するためのもので、例えば左・中・右リール１３Ｌ，１３Ｍ，１３Ｒにそれぞれ設けられた突起部を検出するフォトインタラプタからなり、左・中・右リール１３Ｌ，１３Ｍ，１３Ｒが回転すると、一周ごとに突起部を検出してその検出信号をメイン制御基板６３に出力する。この実施形態では、例えば左・中・右位置センサ５５Ｌ，５５Ｍ，５５Ｒが上記突起部を検出したときに、それぞれコマ番号２０番の図柄が表示窓１１の中段に位置するように構成されている。
【００３２】
ホッパーモータ５７はホッパーユニット４３に配設され、その駆動によりメダルをメダル払出口３９に向けて払い出すものである。
【００３３】
また、このスロットマシン１では、遊技の進行に関する制御を行うメインＣＰＵ６１が実装されたメイン制御基板６３と、メイン制御基板６３に実装されたメインＣＰＵ６１から送信された情報に基づき所定の演出（例えば、遊技の進行に合わせた演出）に関する制御を行うサブＣＰＵ７１が実装されたサブ制御基板７３とが別々に設けられており、メイン制御基板６３からサブ制御基板７３に対して各種の遊技情報が一方向で送信される。メイン制御基板６３、サブ制御基板７３それぞれは、外部から不正にアクセスすることが困難なように、基板ケース内に収容された上、基板ケースが痕跡を残さずに開放することが困難なように厳重に封印されている。また、これらの基板ケースには、不正に開放されたことを視認することができるように、種々の対策が講じられている。メイン制御基板６３を収容した基板ケースは図２に示すように筐体３内の後側壁に支持枠体１３より高い位置に設置されており、サブ制御基板７３を収容した基板ケースは図２に示すように筐体３内の左側壁にメイン制御基板６３を収容した基板ケースと略同じ高さの位置に設置されている。
【００３４】
また、メイン制御基板６３、サブ制御基板７３それぞれには、読取機を用いることにより当該基板の識別情報の読み取りが可能になる識別記号が形成されたシールが貼付されており、この詳細については図４〜図６を用いて後に詳述する。
【００３５】
メイン制御基板６３のＲＡＭ６５はスロットマシン１の遊技状態などの遊技に関するデータを一時的に記憶するものであり、各種のデータを格納するための各種の記憶領域が形成されている。
【００３６】
また、メイン制御基板６３のＲＯＭ６７は予め設定されたデータを含む遊技機用プログラム（スロットマシン１用のプログラム）を記憶する。
【００３７】
また、メイン制御基板６３のメインＣＰＵ６１は、タイマ割込などの割込機能を有し、ＲＯＭ６７に記憶された遊技機用プログラムを実行することにより、遊技の進行に関する処理を行う。また、メインＣＰＵ６１は、役抽選結果に関する情報、各ストップスイッチ２１Ｌ，２１Ｍ，２１Ｒ、スタートスイッチ１９等の遊技者により操作される操作器具の操作に関する情報などの種々の遊技情報をコマンド形式でサブ制御基板７３（サブＣＰＵ７１）に送信する。
【００３８】
また、サブ制御基板７３のメモリ７５は、各種データを一時的に記憶するＲＡＭ部と、演出用の各種プログラムなどを記憶するＲＯＭ部とを備えている。また、サブ制御基板７３のサブＣＰＵ７１は、タイマ割込などの割込機能を有し、サブＣＰＵ７１は、メインＣＰＵ６１から送信されるスロットマシン１に関する各種の遊技情報等に基づいてメモリ７５に格納されたプログラムを実行することで、遊技者に対する遊技に関連する演出の内容を決定する。また、サブ制御基板７３のサブＣＰＵ７１は、決定された演出の内容に基づいて、サブ制御基板７３が有するＩ／Ｏポートを介して、液晶表示器２７やスピーカ３１Ｌ，３１Ｒなどの演出機器の制御を行う。
【００３９】
（メイン制御基板）
次に、メイン制御基板６３について説明する。
【００４０】
メイン制御基板６３は、ＲＯＭ６７に格納されたプログラムを実行することにより実現される種々の機能や、ハードウェアが制御されることにより実現される種々の機能を備えている。
【００４１】
メインＣＰＵ６１は、当選した当選役グループ（１または複数の役を構成役として有する。）の種類や役の入賞・非入賞等により、スロットマシン１が備える複数の遊技状態のうちいずれか一つの遊技状態にスロットマシン１の遊技を制御する。
【００４２】
また、メインＣＰＵ６１は、電源スイッチ５０、変更処理開始スイッチ５６、リセットスイッチ５２に対する所定の設定変更操作に基づいて、出玉率（獲得メダル数÷投入メダル数×１００［％］）の調整をするための設定（設定１〜設定６）を変更する。
【００４３】
また、メインＣＰＵ６１は、制御した遊技状態の種類、および、設定した設定値（設定１から設定６）に基づき、複数の役抽選テーブルから１つの役抽選テーブルを選択する。この役抽選テーブルには、予め設定された複数の当選役グループそれぞれについて、当選役グループと当該当選役グループが役抽選において当選となる抽選値の範囲とが対応づけて記憶されている。
【００４４】
また、メインＣＰＵ６１は、スタートスイッチ１９が遊技者により操作されると、役抽選用の乱数を所定の範囲内で発生させ、発生させた乱数値を抽選値としてスタートスイッチ１９が操作されたタイミングで抽出する。そして、メインＣＰＵ６１は、選択した役抽選値テーブルと抽出した抽選値とを用いてどの当選役グループに当選したかどうかの決定を行う。
【００４５】
また、メインＣＰＵ６１は、スタートスイッチ１９が遊技者により操作されると、各リール１３Ｌ，１３Ｍ，１３Ｒの回転を開始させ、左・中・右位置センサ５５Ｌ，５５Ｍ，５５Ｒの検出信号と、左・中・右リール１３Ｌ，１３Ｍ，１３Ｒを駆動する各リールモータ１４Ｌ，１４Ｍ，１４Ｒへの供給パルス数とに基づき、左・中・右リール１３Ｌ，１３Ｍ，１３Ｒの回転位置をそれぞれ検出する。メインＣＰＵ６１は、全てのリール１３Ｌ，１３Ｍ，１３Ｒが定速回転となったときに、各ストップスイッチ２１Ｌ，２１Ｍ，２１Ｒの操作を有効操作として受付ける状態となる。この状態で各ストップスイッチ２１Ｌ，２１Ｍ，２１Ｒの操作が遊技者により行われると、メインＣＰＵ６１は、検出した各左・中・右リール１３Ｌ，１３Ｍ，１３Ｒの回転位置と、遊技者による各ストップスイッチ２１Ｌ，２１Ｍ，２１Ｒの操作態様（例えば押し順や操作タイミング）と、役抽選結果とに基づき、予め設定されているすべりコマ数（引き込み可能範囲：通常、最大４コマ）の範囲内で各リール１３Ｌ，１３Ｍ，１３Ｒが停止するように停止制御を行う。
【００４６】
全てのリール１３Ｌ，１３Ｍ，１３Ｒの回転が停止した後、メインＣＰＵ６１は、リール１３Ｌ，１３Ｍ，１３Ｒの入賞ラインの図柄組合せが、役抽選により当選した当選役グループを構成する役に対応する図柄組合せであるかどうかの判定を行い、入賞ラインの図柄組合せが当該役に対応する図柄組合せである場合は、当該役に入賞したと判定し、そうでない場合はハズレと判定する。メインＣＰＵ６１は、役抽選により当選した当選役グループを構成する役に入賞したと判定したときに、それがメダル払い出しのある役の入賞であれば、ホッパーユニット４３を動作させて、入賞した役に対応した払出数だけメダルを払い出すものである。ただし、メインＣＰＵ６１はクレジットメダルの貯留枚数が上限値（この実施形態では例えば５０枚）に達していない場合は、払出数分だけクレジットメダルの枚数を増加させる。
【００４７】
また、メインＣＰＵ６１は、メダルセレクタ４８の動作を制御することにより、メダル受入可と受入不可とを切り替える。
【００４８】
また、メインＣＰＵ６１は、設定値、遊技状態、役抽選結果に関する情報、図柄判定結果に関する情報、各リール１３Ｌ，１３Ｍ，１３Ｒの回転・停止状態、メダルの払出状態、前面扉５の開放または閉塞の状態、スロットマシン１のエラー状態などスロットマシン１の状態を表すデータ、各ストップスイッチ２１Ｌ，２１Ｍ，２１Ｒ、スタートスイッチ１９等の遊技者により操作される操作器具の操作に関する情報などの種々の情報をサブ制御基板７３（サブＣＰＵ７１）に送信するためのコマンドを生成し、生成したコマンドをサブ制御基板７３のサブＣＰＵ７１に送信する。なお、コマンドはメイン制御基板６３からサブ制御基板７３に一方通行で送信される。
【００４９】
（サブ制御基板）
次に、サブ制御基板７３について説明する。サブ制御基板７３は、メイン制御基板６３から送信されたコマンドを受信し、メイン制御基板６３の動作や状態に応じた演出を行うものである。サブ制御基板７３は、メモリ７５に格納されたプログラムを実行することにより実現される種々の機能や、ハードウェアにより実現される種々の機能を備えている。
【００５０】
サブＣＰＵ７１は、メイン制御基板６３（メインＣＰＵ６１）により送信された種々のデータを含むコマンドを受信する。そして、サブＣＰＵ７１は、受信したコマンドに応じて、演出の内容を決定し、決定した演出の内容に応じて、例えば、液晶表示器２７に動画等の画像を表示する表示制御を行ったり、スピーカ３１Ｌ，３１Ｒからの音声の出力制御を行ったり、上部ランプ部３３や下部ランプ部３７Ｌ，３７Ｒの光源を一斉にあるいは個別に点滅させる制御を行ったりする。
【００５１】
（識別記号が形成されたシールの配置位置等）
続いて、メイン制御基板６３、サブ制御基板７３における識別記号が形成されたシールの配置位置等について図４〜図６を参照して説明する。ただし、識別記号が形成されたシールの配置位置等について、メイン制御基板６３とサブ制御基板７３とでは同じ考えに則っているため、メイン制御基板６３及びサブ制御基板７３を基板１００と記載して説明する。なお、スロットマシン１がメイン制御基板６３及びサブ制御基板７３以外にも基板を備え、当該基板に識別記号が形成されたシールが貼付される場合、識別記号が形成されたシールの配置位置等は、メイン制御基板６３及びサブ制御基板７３に対する識別記号が形成されたシールの配置位置等に関する考えと同じ考えに則ることができる。
【００５２】
基板１００において、その表面１００ａには、図４及び図５に示すように、電位が所定値０であるグランド用の単一のベタ配線パターンである配線パターン１０１、電位が所定値ＶＤＤである電源用の配線パターン１０９、信号用の配線パターン１０２が配置されるとともに、部品１０３Ａ，１０３Ｂ，１０３Ｃ（例えば、ＣＰＵ（メインＣＰＵ６１、サブＣＰＵ７１））が実装されている。なお、この実施の形態では、基板１００の表面１００ａには部品１０３Ａ，１０３Ｂ，１０３Ｃの３つのみが実装されているものとして説明するが、実装される部品数はこれに限定されるものではない。また、表面１００ａが本発明の「一の面」に相当し、グランド用の配線パターン１０１が本発明の「第１配線パターン」に相当する。
【００５３】
また、基板１００において、その表面１００ａに配置された配線パターン１０１には、図４及び図５に示すように、部品１０３Ａを表す部品情報１５０がシルク印刷により形成されている。この部品情報１５０は、図５に示すように、その形成面から盛り上がるように形成されることになる。なお、部品情報１５０が本発明の「特定情報」に相当する。ただし、図４では、シルク印刷により形成される情報は部品１０３Ａの部品情報１５０のみとしているが、これ以外の部品１０３Ｂ，１０３Ｃの部品情報がシルク印刷により形成されるようにしてもよいし、部品情報以外の情報がシルク印刷により形成されるようにしてもよく、これらの場合にはシルク印刷により形成される各種情報も本発明の「特定情報」に相当することになる。
【００５４】
また、基板１００において、その裏面１００ｂには、図５に示すように、電位が所定値０であるグランド用の配線パターン１０４、電位が所定値ＶＤＤである電源用の配線パターン（不図示）、信号用の配線パターン（不図示）が配置されている。なお、裏面１００ｂが本発明の「他の面」に相当し、グランド用の配線パターン１０４が本発明の「第２配線パターン」に相当する。
【００５５】
また、基板１００には、図４及び図５に示すように、表面１００ａに配置されたグランド用の配線パターン１０１と裏面１００ｂに配置されたグランド用の配線パターン１０４とを電気的に接続するスルーホール１０６が形成されている。また、基板１００には、表面１００ａに配置された電源用の配線パターン１０９と裏面１００ｂに配置された電源用の配線パターンとを接続するスルーホール１１０が形成されている（図４参照）。また、基板１００には、表面１００ａに配置された信号用の配線パターン１０２と、裏面１００ｂに配置された信号用の配線パターンとを接続するスルーホール１０７が形成されている（図４参照）。
【００５６】
また、基板１００の表面１００ａ側には、シール１３１を貼付する所定の領域（以下、「貼付領域」と記載する。）１３２が予め定められており、貼付領域１３２全ては単一のベタ配線パターンである配線パターン１０１上にある。
【００５７】
この貼付領域１３２内にシール１３１が配置されている。この実施形態では、シール１３１と貼付領域１３２とは同じ寸法及び同じ形状であるとし、シール１３１全体が貼付領域１３２内に収まるように、シール１３１は貼付されることになる。なお、この実施形態では、シール１３１と貼付領域１３２とは同じ寸法及び同じ形状であるとするが、これに限定されるものではなく、貼付領域１３２はシール１３１全体が貼付領域１３２内に収まるような寸法及び形状であればよく、この場合も、シール１３１全体が貼付領域１３２内に収まるように、シール１３１が貼付されるように、シール１３１が貼付されるようにすればよい。
【００５８】
このシール１３１の表面には、読取機を用いることにより基板１００の識別情報の読み取りが可能になるＱＲコード（登録商標）１２０が形成され、その裏面（貼付時に基板１００側になる面）には接着剤が塗布されている。シール１３１の裏面に塗布された接着剤により、シール１３１は配線パターン１０１上の貼付領域１３２に貼付されることになる。なお、ＱＲコード（登録商標）１２０が本発明の「識別記号」に相当する。
【００５９】
ＱＲコード（登録商標）１２０は、読取機が備えるカメラ等で撮像され、読取機が備えるコンピュータ等により撮像画像が解析されることにより、その情報（この実施形態では、基板１００の識別情報）が読み取られるようになっている。なお、ＱＲコード（登録商標）１２０の読取機による読み取りは既知技術であるので、詳細は省略する。
【００６０】
ＱＲコード（登録商標）１２０の配置領域１２１は図４における点線で囲む矩形をしており、印刷部分（図４の点線で囲む部分のうちの黒色部分）と被印刷部分（図４の点線で囲む部分のうちの白色部分）とを含んでいる。ここで、配置領域１２１を形成する矩形の３つの角はそれぞれＱＲコード（登録商標）１２０のファインダパターン（切り出しシンボル、位置検出パターン）それぞれの最も外側の角に対応している。
【００６１】
上述した通り、貼付領域１３２全ては単一のベタ配線パターンである配線パターン１０１上にある。したがって、貼付領域１３２内に貼付されたシール１３１全体は配線パターン１０１上に存在することになる。また、シール１３１に形成されたＱＲコード（登録商標）１２０全体及びその配置領域１２１全体も当然ながら配線パターン１０１上に存在することになる。
【００６２】
上述したスルーホール１０６は、その一部でも貼付領域１３２内に含まれることがないように、貼付領域１３２を避けるように配置される。つまり、スルーホール１０６の一部でも貼付領域１３２内には存在していない。また、部品情報１５０は、その一部でも貼付領域１３２内に含まれることがないように、貼付領域１３２を避けるように配置される。つまり、部品情報１５０の一部でも貼付領域１３２内には存在していない。したがって、貼付領域１３２に貼付されたシール１３１の下にはスルーホール１０６及び部品情報１５０が存在しないことになる。なお、シール１３１が貼付される貼付領域１３２全体が配線パターン１０１上にあるので、当然ながらスルーホール１０６以外のスルーホール１０７，１１０が貼付領域１３２に貼付されたシール１３１の下に存在することはない。
【００６３】
ＱＲコード（登録商標）１２０の配置領域１２１及び当該配置領域１２１に隣接する所定の領域（以下、「配置隣接領域」と記載する。）１４０を含む領域１４５を、表面１００ａ（単一のベタ配線パターンである配線パターン１０１）からの背の高さが所定値Ｈ以上となる可能性がある特定部品（例えば、一部のコンデンサ、フィルタ、ＩＣで使用される一方向挿入実装型またはＴＯ型のパッケージをしたもの、コネクタ）を配置しない領域とする。この領域１４５を配置禁止領域１４５と記載する。なお、背の高さが所定値Ｈ以上となる可能性がある特定部品は、その一部でも配置禁止領域１４５内に含まれるように配置されることは禁止される。なお、配置隣接領域１４０が本発明の「第２隣接領域」に相当し、配置禁止領域１４５が本発明の「禁止領域」に相当する。
【００６４】
この実施形態では、配置隣接領域１４０は、配置領域１２１の中心を中心とした、外形が正方形をした枠状をしており、配置領域１２１の各辺と配置隣接領域１４０の外形の各辺との距離を予め定めた値としている。なお、配置隣接領域１４０を先に設定した場合、例えば、背の高さが異なる複数の特定部品を用意してＱＲコード（登録商標）１２０の誤認識をするかどうかのテストを行って、テスト結果に応じて実際に用いる所定値Ｈを決めるようにしてもよい。また、所定値Ｈを先に設定した場合、例えば、サイズや形状の異なる複数の配置隣接領域１４０を用意してＱＲコード（登録商標）１２０の誤認識をするかどうかのテストを行って、テスト結果に応じて実際に用いる配置隣接領域１４０のサイズや形状を決めるようにしてもよい。
【００６５】
なお、配置禁止領域１４５は、所定値Ｈ以上の部品を配置することを禁止する領域とする代わりに、特定パッケージの部品（例えば、一方向挿入実装型またはＴＯ型のパッケージの部品）や、決まった部品（大容量コンデンサ、大型フィルタ、コネクタ等）を配置することを禁止する領域としてもよい。
【００６６】
なお、配置隣接領域１４０の中心と配置領域１２１の中心とが一致すものに限定されるものではなく、例えばＱＲコード（登録商標）１２０が形成されたシール１３１を貼付する貼付領域１３２が基板１００の縁の近くにあるような場合には配置隣接領域１４０の中心と配置領域１２１の中心とが一致しないように配置隣接領域１４０を設定してもよい。
【００６７】
上述したように、基板１００の表面１００ａには部品１０３Ａ，１０３Ｂ，１０３Ｃが実装されている。図４及び図５に示すように、配置禁止領域１４５に部品１０３Ａが配置されているが、図５に示すように、部品１０３Ａの背の高さは所定値Ｈ未満である。また、図５に示すように、部品１０３Ｂの背の高さは所定値Ｈ以上であるが、図４及び図５に示すように部品１０３Ｂ全体が配置禁止領域１４５外になるように配置されている。また、部品１０３Ｃは、その全体が図４及び図５に示すように配置禁止領域１４５外になるように配置され、その背の高さは所定値Ｈ未満である。したがって、背の高さが所定値Ｈ以上となる可能性がある特定部品は配置禁止領域１４５に配置されていない。つまり、図５は、背の高さが所定値Ｈ以上となる可能性がある特定部品を配置禁止領域１４５に設置しないという条件を満たす部品配置となっている。
【００６８】
なお、図６（ａ）の場合、基板１００の表面１００ａには部品１０３Ａ，１０３Ｂ，１０３Ｃのみが配置されており、部品１０３Ａ，１０３Ｂ，１０３Ｃのうち部品１０３Ａが一番背の高い部品であるが、背の高さが所定値Ｈ未満の部品であるとする。図６（ａ）に示すように、配置禁止領域１４５に部品１０３Ａが配置されているが、部品１０３Ａは部品１０３Ａ，１０３Ｂ，１０３Ｃのうち一番背の高い部品であるもののその背の高さは所定値Ｈ未満である。また、図６（ａ）に示すように、部品１０３Ｂ，１０３Ｃは、その全体が配置禁止領域１４５外になるように配置され、その背の高さは所定値Ｈ未満である。したがって、背の高さが所定値Ｈ以上となる可能性がある特定部品は配置禁止領域１４５に配置されていない。つまり、図６（ａ）は、背の高さが所定値Ｈ以上となる可能性がある特定部品を配置禁止領域１４５に設置しないという条件を満たす部品配置となっている。
【００６９】
ただし、配置禁止領域１４５内に一番背の高い部品１０３Ａが配置される図６（ａ）は、背の高さが一番高い部品を配置禁止領域１４５に設置しないという、図８を用いて後述する第３実施形態における条件を満たさない、部品配置となっている。
【００７０】
また、図６（ｂ）の場合、基板１００の表面１００ａには部品１０３Ｂ，１０３Ｃのみが配置されている。図６（ｂ）に示すように、部品１０３Ｂ，１０３Ｃは、その全体が配置禁止領域１４５外になるように配置されている。したがって、背の高さが所定値Ｈ以上となる可能性がある特定部品は配置禁止領域１４５に配置されていない。つまり、図６（ｂ）は、背の高さが所定値Ｈ以上となる可能性がある特定部品を配置禁止領域１４５に設置しないという条件を満たす部品配置となっている。
【００７１】
なお、図６（ｂ）のように、ＱＲコード（登録商標）１２０に最も近い部品１０３Ｂの背の高さが所定値Ｈ以上であっても、部品１０３Ｂが配置禁止領域１４５外に存在するように配置されれば、上記の条件を満たす部品配置である。
【００７２】
基板１００が筐体３の所定の内壁面に取り付けられた状態において、裏面１００ｂが当該所定の内壁面と向かい合う。なお、基板１００が図２に示すように取り付けられるメイン制御基板６３の場合、表面１００ａが筐体３の前面側に、裏面１００ｂが筐体３の後側の内壁面側に位置するようにメイン制御基板６３が筐体３内の後側の内壁面に取り付けられ、裏面１００ｂが後側の内壁面と向かい合うようになる。また、基板１００が図２に示すように取り付けられるサブ制御基板７３の場合、表面１００ａが筐体３の右側の内壁面側に、裏面１００ｂが筐体３の左側の内壁面側に位置するようにサブ制御基板７３が筐体３内の左側の内壁面に取り付けられ、裏面１００ｂが左側の内壁面と向かい合うようになる。なお、「左」、「右」は、図２において、スロットマシン１の前方側からスロットマシン１を見た場合の「左」、「右」を意味する。
【００７３】
したがって上記した第１実施形態によれば、正規の基板１００が非正規の基板に取り替えられても、基板１００（メイン制御基板６３、サブ制御基板７３）の表面１００ａにＱＲコード（登録商標）１２０が形成されたシール１３１を貼付しているため、取り替えられたことを容易に把握することができ、スロットマシン１に非正規の基板を取り付ける不正行為を有効に防止することができる。また、ＱＲコード（登録商標）１２０自体は英数字等の人が見て容易に読み取ることができるものではないため、不正行為者がＱＲコード（登録商標）１２０を見たとしても容易に複製することができず、この点からも不正行為を有効に防止することができる。
【００７４】
また、部品情報１５０がシルク印刷により形成された場合には部品情報１５０はその形成面から盛り上がるように形成されることになる（図５、図６（ａ），（ｂ）参照）。また、スルーホール１０６の端はその形成面に対して凸凹になることがある。また、基板１００の表面１００ａ上に形成された単一のベタ配線パターンである配線パターン１０１は、当該配線パターン１０１の縁の部分で基板の表面に対して段差が形成されることになる。
【００７５】
このため、仮にスルーホール１０６及び部品情報１５０が貼付領域１３２を避けるようにして配置されていない場合や、貼付領域１３２の一部が単一のベタ配線パターンである配線パターン１０１上にあり、その他の部分が当該配線パターン１０１上にない場合には、シール１３１が、スルーホール１０６や部品情報１５０の上に貼付されたり、シール１３１の一部が配線パターン１０１からはみ出すように貼付されたりして、シール１３１の表面が凸凹になってしまうことがある。このような凸凹になったシール１３１の表面に形成されたＱＲコード（登録商標）１２０を読取機で撮像した場合には、撮像したＱＲコード（登録商標）１２０が歪んだものとなってしまい、これにより、ＱＲコード（登録商標）１２０の誤認識を招く可能性がある。また、シール１３１がスルーホール１０６や部品情報１５０の上に貼り付けられたり、シール１３１の一部が配線パターン１０１からはみ出すように貼付されたりして、凸凹がある面に貼付された場合、シール１３１は経年変化により剥がれやすくなったり、傷つきやすくなったりする。仮に、シール１３１が剥がれたり、傷ついたりした場合には、不正行為があったと誤認される恐れがあり、このような場合にはスロットマシン１を稼動することができなくなるという不具合がある。
【００７６】
これに対して、上記した第１実施形態によれば、シール１３１の貼付領域１３２全体が単一のベタ配線パターンである配線パターン１０１上にあり、スルーホール１０６や部品情報１５０は貼付領域１３２を避けるように配置されている。このため、シール１３１はスルーホール１０６や部品情報１５０を避けて、その全体が単一のベタ配線パターンである配線パターン１０１上に存在するように、当該配線パターン１０１上の貼付領域１３２に貼付されることになる。これにより、シール１３１の表面は略平面になり、このような略平面のシール１３１の表面に形成されたＱＲコード（登録商標）１２０を読取機で撮像した場合には、撮像したＱＲコード（登録商標）１２０がほとんど歪むことがなく、これにより、ＱＲコード（登録商標）１２０の誤認識を防止することができる。また、シール１３１はスルーホール１０６や部品情報１５０を避け、その一部が単一のベタ配線パターンである配線パターン１０１からはみ出すことなくその全体が当該配線パターン１０１上に存在するように、略平面上に貼付されるため、スルーホール１０６や部品情報１５０による凸凹や、配線パターン１０１の縁での段差に起因してシール１３１が経年変化により剥がれやすくなったり、傷つきやすくなったりすることが防止でき、上記の不具合を効果的に抑えることができる。
【００７７】
また、スルーホール１０６や部品情報１５０、各種配線パターンの段差に起因してシール１３１の表面が凸凹になるのを避けるためには、シール１３１の貼付領域１３２全体が、第１実施形態のように配線パターン１０１のような単一のベタ配線パターン上に存在するようにする場合（以下、適宜、「第１貼付領域形成領域パターン」と記載する。）と、基板１００の表面１００ａのうちの配線パターンのない部分（以下、「非配線パターン部分」と記載する。）上に存在するようにする場合（以下、適宜、「第２貼付領域形成領域パターン」と記載する。）と、が考えられる。このとき、例えば光を使う読取機をＱＲコード（登録商標）１２０の読み取りに用いる場合を考える。基板１００として一般的に使用されるガラス基板やフレキシブル基板は光が透過してしまうこともあるので、非配線パターン部分上に全体が貼付されたシール１３１の表面に形成されたＱＲコード（登録商標）１２０を読み取ろうとしても、読み取れないことがある（第２貼付領域形成領域パターンの場合）。これに対して、配線パターン１０１等の配線パターンは金属配線層により光を透過することがないので、配線パターン１０１等の配線パターン上に全体が貼付されたシール１３１の表面に形成されたＱＲコード（登録商標）１２０を、光が透過してしまうことに起因して読み取ることができないことが起こらず、読み取ることができる（第１貼付領域形成領域パターンの場合）。この点から、第１貼付領域形成領域パターンは第２貼付領域形成領域パターンに比べて、優れていると言える。
【００７８】
また、上記した実施形態では、ＱＲコード（登録商標）１２０の配置領域１２１及びこの配置領域１２１に隣接する配置隣接領域１４０を含む領域を、背の高さが所定値Ｈ以上の特定部品を配置することを禁止する配置禁止領域１４５としている。このようにすると、読取機でＱＲコード（登録商標）１２０を読み取る際に、部品に焦点が合ってＱＲコード（登録商標）１２０が大きくボケてしまい、ＱＲコード（登録商標）１２０を正しく読み取ることができなくなってしまうことを防止することができる。
【００７９】
また、例えばシール１３１が不透明である場合に、例えば、複数の配置パターン（例えば、配置パターン１０１、配置パターン１０２）をまたがるようにシール１３１を貼付した場合などには、シール１３１の下に配線パターンが存在しているかどうか把握しにくいという不具合などがある。一方、第１実施形態では、シール１３１の貼付領域１３２全てを単一のベタ配線パターンである配線パターン１０１上にすることにより、前述の不具合が生じることを効果的に抑えることができる。
【００８０】
＜第２実施形態＞
本発明の第２実施形態に係る遊技機の一例であるスロットマシンについて、図７を参照して説明する。
【００８１】
第１実施形態ではスルーホール１０６は貼付領域１３２を避けるように配置されているのに対して、第２実施形態ではスルーホール１０６は貼付領域１３２及びこの貼付領域１３２に隣接する所定の領域（以下、「貼付隣接領域」と記載する。）１６０を避けるように配置されている点で、異なっている。なお、この点以外は第１実施形態と第２実施形態とは同じであり、第２実施形態では第１実施形態の構成と対応する構成には同じ符号を付し、第１実施形態の説明が適用できるためその説明を省略する。また、第２実施形態では第１実施形態の構成と対応する構成により第１実施形態と同様の効果が奏されることになるが、第１実施形態の説明が適用できるためその説明を省略する。
【００８２】
スルーホール１０６は貼付領域１３２及び貼付領域１３２に隣接する所定の領域（貼付隣接領域）１６０を避けるように配置される。つまり、貼付領域１３２と貼付隣接領域１６０は、スルーホールを配置することを禁止する領域（以下、「スルーホール配置禁止領域」と記載する。）１６５である。なお、スルーホール１０６は、その一部でもスルーホール配置禁止領域１６５内に含まれるように配置されることはない。なお、貼付隣接領域１６０が本発明の「第１隣接領域」に相当する。
【００８３】
この実施形態では、貼付隣接領域１６０は、貼付領域１３２の各辺と貼付隣接領域１６０の外形の各辺との距離が、互いに等しい、予め定めた値となるように定められている。なお、例えば、貼付隣接領域１６０のサイズは、予め貼付領域１３２の近傍にスルーホール１０６を設けた複数のパターンを用意してＱＲコード（登録商標）１２０の誤認識をするかどうかのテストを行って、テスト結果に応じて実際に用いる所定の隣接領域のサイズを決めるようにしてもよい。
【００８４】
なお、貼付隣接領域１６０は、貼付領域１３２の各辺と貼付隣接領域１６０の外形の各辺との距離が互いに等しくなるものに限定されるものではなく、例えば、次のようなものであってもよい。ＱＲコード（登録商標）１２０が形成されたシール１３１を貼付する貼付領域１３２が基板１００の縁の近くにあるような場合には、貼付領域１３２の基板１００の縁の近くにある辺と貼付隣接領域１６０の基板１００の縁の近くにある辺との距離を、貼付領域１３２のそれ以外の各辺と貼付隣接領域１６０のそれ以外の各辺との距離よりも小さくなるように、貼付隣接領域１６０を設定してもよい。
【００８５】
なお、仮にスルーホール配置禁止領域１６５の一部が配線パターン１０１からはみ出して、例えば配線パターン１０２や配線パターン１０９上にある場合には、スルーホール１０７，１１０はスルーホール配置禁止領域１６５を避けるように配置するようにしてもよい。
【００８６】
したがって上記した第２実施形態によれば、ＱＲコード（登録商標）１２０が形成されたシール１３１を貼付する貼付領域１３２及び当該貼付領域１３２に隣接する貼付隣接領域１６０により形成されるスルーホール配置禁止領域１６５にスルーホール１０６が存在しないようになっている。このため、読取機がスルーホール１０６をＱＲコード（登録商標）１２０の印刷部分（図４（ａ）の点線で囲む部分のうちの黒色部分）と誤ってＱＲコード（登録商標）１２０の一部として読み取ることに起因するＱＲコード（登録商標）１２０の誤認識を防止することができる。例えば、ＱＲコード（登録商標）１２０のファインダパターンやアライメントパターン等は基板１００の表面１００ａに垂直な方向から当該表面１００ａを見た平面視におけるスルーホール１０６の形状と類似した形状であるので、スルーホール１０６をＱＲコード（登録商標）１２０のファインダパターンやアライメントパターン等に誤認することが考えられる。しかしながら、第２実施形態ではスルーホール１０６がスルーホール配置禁止領域１６５に存在しないようになっているので、スルーホール１０６をＱＲコード（登録商標）１２０のファインダパターンやアライメントパターン等に誤って読み取ること防止することができる。
【００８７】
＜第３実施形態＞
本発明の第３実施形態に係る遊技機の一例であるスロットマシンについて、図８を参照して説明する。
【００８８】
第１実施形態では配置禁止領域１４５に配置するのを禁止する部品は背の高さが所定値Ｈ以上である部品であるのに対して、第３実施形態では配置禁止領域１４５に配置するのを禁止する表面１００ａに実装された複数の部品のうちの背の高さが一番高い部品である点で、異なっている。なお、この点以外は第１実施形態と第３実施形態とは同じであり、第３実施形態では第１実施形態の構成と対応する構成には同じ符号を付し、第１実施形態の説明が適用できるためその説明を省略する。また、第３実施形態では第１実施形態の構成と対応する構成により第１実施形態と同様の効果が奏されることになるが、第１実施形態の説明が適用できるためその説明を省略する。
【００８９】
なお、第３実施形態では、配置禁止領域１４５に配置するのを禁止する部品はその背の高さが所定値Ｈ以上であるかどうかは無関係であるが、第１実施形態との対比を可能にするため、図８（ａ）〜（ｃ）には表面１００ａから高さが所定値Ｈである位置に実線を付している。
【００９０】
また、第３実施形態では、基板１００の表面１００ａには、図８（ａ），（ｂ）の場合には部品２０３Ａ，２０３Ｂ，２０３Ｃの３つのみが実装されており、図８（ｃ）の場合には部品２０３Ａ，２０３Ｂの２つのみが実装されているものとして説明するが、実装される部品数はこれに限定されるものではない。
【００９１】
また、例えば、基板１００の表面１００ａに配置されることが想定される部品のうち一番背が高い部品と、サイズや形状の異なる複数の配置隣接領域１４０を用意して、ＱＲコード（登録商標）１２０の誤認識をするかどうかのテストを行って、テスト結果に応じて実際に用いる配置隣接領域１４０のサイズや形状を決めるようにしてもよい。
【００９２】
図８（ａ）の場合、部品２０３Ａ，２０３Ｂ，２０３Ｃのうち部品２０３Ｂが表面１００ａ（単一のベタ配線パターンである配線パターン１０１）からの背の高さが一番背の高い部品であるとする。図８（ａ）に示すように、配置禁止領域１４５に部品２０３Ａが配置されているが、部品２０３Ａは部品２０３Ａ，２０３Ｂ，２０３Ｃのうち一番背の高い部品ではない。また、図８（ａ）に示すように、部品２０３Ａ，２０３Ｂ，２０３Ｃのうち一番背の高い部品２０３Ｂは、その全体が配置禁止領域１４５外になるように配置され、部品２０３Ｃはその全体が配置禁止領域１４５外になるように配置されている。したがって、一番背の高い部品２０３Ｂは配置禁止領域１４５に配置されていない。つまり、図８（ａ）は、一番背の高い部品２０３Ｂを配置禁止領域１４５に設置しないという条件を満たす部品配置となっている。
【００９３】
図８（ｂ）の場合、部品２０３Ａ，２０３Ｂ，２０３Ｃのうち部品２０３Ｂが表面１００ａ（単一のベタ配線パターンである配線パターン１０１）からの背の高さが一番背の高い部品であるとする。図８（ｂ）に示すように、配置禁止領域１４５に部品２０３Ａが配置されているが、部品２０３Ａは背の高さが所定値Ｈ以上であるが、部品２０３Ａ，２０３Ｂ，２０３Ｃのうち一番背の高い部品ではない。また、図８（ｂ）に示すように、部品２０３Ａ，２０３Ｂ，２０３Ｃのうち一番背の高い部品２０３Ｂは、その全体が配置禁止領域１４５外になるように配置され、部品２０３Ｃはその全体が配置禁止領域１４５外になるように配置されている。したがって、一番背の高い部品２０３Ｂは配置禁止領域１４５に配置されていない。つまり、図８（ｂ）は、一番背の高い部品２０３Ｂを配置禁止領域１４５に設置しないという条件を満たす部品配置となっている。
【００９４】
ただし、配置禁止領域１４５内に背の高さが所定値Ｈ以上の部品２０３Ａが配置される図８（ｂ）は、背の高さが所定値Ｈ以上の部品を配置禁止領域１４５に設置しないという、第１実施形態における条件を満たさない、部品配置となっている。
【００９５】
図８（ｃ）の場合、部品２０３Ｂ，２０３Ｃのうち部品２０３Ｂが表面１００ａ（単一のベタ配線パターンである配線パターン１０１）からの背の高さが一番背の高い部品であるとする。図８（ｃ）に示すように、部品２０３Ｂ，２０３Ｃのうち一番背の高い部品２０３Ｂは、その全体が配置禁止領域１４５外になるように配置され、部品２０３Ｃはその全体が配置禁止領域１４５外になるように配置されている。したがって、一番背の高い部品２０３Ｂは配置禁止領域１４５に配置されていない。つまり、図８（ｃ）は、一番背の高い部品２０３Ｂを配置禁止領域１４５に設置しないという条件を満たす部品配置となっている。
【００９６】
なお、図８（ｃ）のように、ＱＲコード（登録商標）１２０に最も近い部品２０３Ｂが一番背の高い部品であっても、部品２０３Ｂが配置禁止領域１４５外に存在するように配置されれば、上記の条件を満たす部品配置である。
【００９７】
上述したように、第３実施形態では、基板１００の表面１００ａに配置された複数の部品（図８（ａ），（ｂ）では部品２０３Ａ，２０３Ｂ，２０３Ｃ、図８（ｃ）では部品２０３Ｂ，２０３Ｃ）のうち、背の高さが一番高い部品を、ＱＲコード（登録商標）１２０の配置領域１２１及び当該配置領域１２１に隣接する所定の配置隣接領域１４０には設置しないようになっている。
【００９８】
したがって上記した第３実施形態によれば、ＱＲコード（登録商標）１２０の配置領域１２１及びこの配置領域１２１に隣接する配置隣接領域１４０には、一番背の高い部品２０３Ｂが設置されない。このようにすると、読取機でＱＲコード（登録商標）１２０を読み取る際に、部品に焦点が合ってＱＲコード（登録商標）１２０が大きくボケてしまい、ＱＲコード（登録商標）１２０を正しく読み取ることができなくなってしまうことを防止することができる。
【００９９】
なお、本発明は上記した実施形態に限定されるものではなく、その趣旨を逸脱しない限りにおいて、上記したもの以外に種々の変更を行うことが可能である。
【０１００】
例えば、上記した各実施形態では、部品情報１５０をシルク印刷により形成するとしたが、これに限定されるものではなく、例えばレーザ等による刻印により形成するようにしてもよい。刻印により部品情報１５０を形成した場合、シルク印刷により形成された場合とは異なり、部品情報１５０はその形成面から窪むように形成されることになる。また、スルーホール１０６の端はその形成面に対して凸凹になることがある。また、基板１００の表面１００ａ上に形成された単一のベタ配線パターンである配線パターン１０１は、当該配線パターン１０１の縁の部分で基板の表面に対して段差が形成されることになる。
【０１０１】
このため、仮にスルーホール１０６及び部品情報１５０が貼付領域１３２を避けるようにして配置されていない場合や、貼付領域１３２の一部が単一のベタ配線パターンである配線パターン１０１上にあり、その他の部分が当該配線パターン１０１上にない場合には、シール１３１が、スルーホール１０６や部品情報１５０の上に貼付されたり、シール１３１の一部が配線パターン１０１からはみ出すように貼付されたりして、シール１３１の表面が凸凹になってしまうことがある。このような凸凹になったシール１３１の表面に形成されたＱＲコード（登録商標）１２０を読取機で撮像した場合には、撮像したＱＲコード（登録商標）１２０が歪んだものとなってしまい、これにより、ＱＲコード（登録商標）１２０の誤認識を招く可能性がある。また、シール１３１がスルーホール１０６や部品情報１５０の上に貼り付けられたり、シール１３１の一部が配線パターン１０１からはみ出すように貼付されたりして、凸凹がある面に貼付された場合、シール１３１は経年変化により剥がれやすくなったり、傷つきやすくなったりする。仮に、シール１３１が剥がれたり、傷ついたりした場合には、不正行為があったと誤認される恐れがあり、このような場合にはスロットマシン１を稼動することができなくなるという不具合がある。
【０１０２】
これに対して、上記した変形例によれば、シール１３１の貼付領域１３２全体が単一のベタ配線パターンである配線パターン１０１上にあり、スルーホール１０６や部品情報１５０は貼付領域１３２を避けるように配置されている。このため、シール１３１はスルーホール１０６や部品情報１５０を避けて、その全体が単一のベタ配線パターンである配線パターン１０１上に存在するように、当該配線パターン１０１上の貼付領域１３２に貼付されることになる。これにより、シール１３１の表面は略平面になり、このような略平面のシール１３１の表面に形成されたＱＲコード（登録商標）１２０を読取機で撮像した場合には、撮像したＱＲコード（登録商標）１２０がほとんど歪むことがなく、これにより、ＱＲコード（登録商標）１２０の誤認識を防止することができる。また、シール１３１はスルーホール１０６や部品情報１５０を避け、その一部が単一のベタ配線パターンである配線パターン１０１からはみ出すことなくその全体が当該配線パターン１０１上に存在するように、略平面上に貼付されるため、スルーホール１０６や部品情報１５０による凸凹や、配線パターン１０１の縁での段差に起因してシール１３１が経年変化により剥がれやすくなったり、傷つきやすくなったりすることが防止でき、上記の不具合を効果的に抑えることができる。
【０１０３】
また、上記した各実施形態では、識別記号が２次元コードであるＱＲコード（登録商標）１２０であるとしたが、これに限定されるものではなく、ＱＲコード（登録商標）１２０以外の２次元コードであってもよい。また、識別記号は、人が見て直接識別記号により表される識別情報が読み取られるようなものではなく、読取機を用いることにより識別記号により表される識別情報の読み取りが可能になる例えば１次元コード、２次元コードなどとしてもよい。
【０１０４】
また、上記した各実施形態では、シール１３１の貼付領域１３２全てが単一のベタ配線パターンであるグランド用の配線パターン１０１上にあるが、これに限定されるものではなく、例えば、電位が所定値ＶＤＤである電源用の配線パターン１０９が単一のベタ配線パターンである場合には、シール１３１の貼付領域１３２全てが単一のベタ配線パターン１０９上にあるようにしてもよい。
【０１０５】
また、上記した第１、第２実施形態では、背の高さが所定値Ｈ以上の部品をＱＲコード（登録商標）１２０の配置領域１２１及び当該配置領域１２１に隣接する所定の配置隣接領域１４０には設置しないようにし、第３実施形態では、基板１００の表面１００ａに実装された複数の部品のうち、一番背の高い部品をＱＲコード（登録商標）１２０の配置領域１２１及び当該配置領域１２１に隣接する所定の配置隣接領域１４０には設置しないようにしているが、これに限定されるものではなく、例えば次のようなものであってもよい。基板１００の表面１００ａに実装された複数の部品のうち、ＱＲコード（登録商標）１２０に最も近い部品を、一番背の高い部品とならないように、各部品を配置するようにしてもよい。この場合、図６（ｂ）、図８（ｃ）の部品配置は許容されないことになる。
【０１０６】
また、上記した各実施形態では、ＱＲコード（登録商標）１２０は、基板１００の部品が配置されている表面１００ａ側に配置されているが、これに限定されるものではなく、基板１００の部品が配置されていない裏面１００ｂ側に配置されるようにしてもよい。この場合、シールの貼付領域全てが単一のベタ配線パターン（例えば、電位が所定値０であるグランド用の単一のベタ配線パターン、電位が所定値ＶＤＤである電源用の配線パターン）上にあり、シール全体が当該貼付領域内に収まるように貼付され、スルーホール及びシルク印刷または刻印により形成された特定情報が、貼付領域を避けるように配置されるようにしてもよい。
【０１０７】
また、上記した各実施形態では、スロットマシンを対象として説明したが、これに限定されるものではなく、上記した識別記号が形成されたシールの配置位置等はパチンコ機、カジノマシンなどの他の遊技機にも適用することができる。
【０１０８】
また、上記実施形態や上記変形例等の内容を適宜組み合わせることができる。
【０１０９】
本発明は、セキュリティ対策の必要な基板を備える遊技機に適用することができる。
【符号の説明】
【０１１０】
１…スロットマシン
１００…基板
１００ａ…表面
１００ｂ…裏面
１０１…配線パターン
１０４…配線パターン
１０６…スルーホール
１２０…ＱＲコード（登録商標）
１２１…配置領域
１３１…シール
１３２…貼付領域
１４０…配置隣接領域
１４５…配置禁止領域
１５０…部品情報
１６０…貼付隣接領域
１６５…スルーホール配置禁止領域
１０３Ａ，１０３Ｂ，１０３Ｃ…部品
２０３Ａ、２０３Ｂ、２０３Ｃ…部品
【図１】
2020000500.tif 000003
【図２】
2020000500.tif 000004
【図３】
2020000500.tif 000005
【図４】
2020000500.tif 000006
【図５】
2020000500.tif 000007
【図６】
2020000500.tif 000008
【図７】
2020000500.tif 000009
【図８】
2020000500.tif 000010
【手続補正書】
【提出日】平成31年2月12日(2019.2.12)
【手続補正１】
【補正対象書類名】明細書
【補正対象項目名】０００７
【補正方法】変更
【補正の内容】
【０００７】
上記目的を達成するために、本発明にかかる遊技機は、基板を備える遊技機であって、前記基板の一の面に配置された単一のベタ配線パターンであって、電位が所定値である第１配線パターンと、前記基板の前記一の面と反対側の他の面に配置され、電位が前記所定値である第２配線パターンと、前記第１配線パターンと前記第２配線パターンとを接続するスルーホールと、前記第１配線パターン上にシルク印刷または刻印により形成される特定情報と、読取機を用いることにより前記基板の識別情報の読み取りが可能になる識別記号と、表面に前記識別記号が形成され、裏面に接着剤が塗布されたシールとを備え、前記シールは前記一の面側の所定の貼付領域に貼り付けられ、前記貼付領域全ては前記単一のベタ配線パターン上にあり、前記スルーホールおよび前記特定情報は前記貼付領域を避けるように配置されていることを特徴としている。
【手続補正２】
【補正対象書類名】特許請求の範囲
【補正対象項目名】請求項１
【補正方法】変更
【補正の内容】
【請求項１】
基板を備える遊技機であって、
前記基板の一の面に配置された単一のベタ配線パターンであって、電位が所定値である第１配線パターンと、
前記基板の前記一の面と反対側の他の面に配置され、電位が前記所定値である第２配線パターンと、
前記第１配線パターンと前記第２配線パターンとを接続するスルーホールと、
前記第１配線パターン上にシルク印刷または刻印により形成される特定情報と、
読取機を用いることにより前記基板の識別情報の読み取りが可能になる識別記号と、
表面に前記識別記号が形成され、裏面に接着剤が塗布されたシールと
を備え、
前記シールは前記一の面側の所定の貼付領域に貼り付けられ、
前記貼付領域全ては前記単一のベタ配線パターン上にあり、
前記スルーホールおよび前記特定情報は前記貼付領域を避けるように配置されている
ことを特徴とする遊技機。
【手続補正書】
【提出日】令和1年6月12日(2019.6.12)
【手続補正１】
【補正対象書類名】明細書
【補正対象項目名】０００７
【補正方法】変更
【補正の内容】
【０００７】
上記目的を達成するために、本発明にかかる遊技機は、基板を備える遊技機であって、前記基板の一の面に配置された単一のベタ配線パターンであって、電位が所定値である第１配線パターンと、前記基板の前記一の面と反対側の他の面に配置され、電位が前記所定値である第２配線パターンと、前記第１配線パターンと前記第２配線パターンとを接続する複数のスルーホールと、前記第１配線パターン上にシルク印刷または刻印により形成される特定情報と、読取機を用いることにより前記基板の識別情報の読み取りが可能になる識別記号と、表面に前記識別記号が形成され、裏面に接着剤が塗布されたシールとを備え、前記複数のスルーホールは、前記一の面側に実装される部品が上に載っていないスルーホールを含み、前記シールは前記一の面側の所定の貼付領域に貼り付けられ、前記貼付領域全ては前記単一のベタ配線パターン上にあり、前記複数のスルーホールおよび前記特定情報は前記貼付領域を避けるように配置されていることを特徴としている。
【手続補正２】
【補正対象書類名】明細書
【補正対象項目名】００１５
【補正方法】変更
【補正の内容】
【００１５】
また、前記識別記号の配置領域および当該配置領域に隣接する所定の第２隣接領域は、前記一の面からの背の高さが所定値以上となる可能性がある特定部品を設置しない禁止領域とし、前記配置領域の中心と前記所定の第２隣接領域の中心とが一致していないとしてもよい。
【手続補正３】
【補正対象書類名】明細書
【補正対象項目名】００１７
【補正方法】変更
【補正の内容】
【００１７】
また、前記一の面に配置された複数の部品のうち、当該一の面からの背の高さが一番高い部品を、前記識別記号の配置領域および当該配置領域に隣接する所定の第２隣接領域には設置しないようにし、前記配置領域の中心と前記所定の第２隣接領域の中心とが一致していないとしてもよい。
【手続補正４】
【補正対象書類名】特許請求の範囲
【補正対象項目名】全文
【補正方法】変更
【補正の内容】
【特許請求の範囲】
【請求項１】
基板を備える遊技機であって、
前記基板の一の面に配置された単一のベタ配線パターンであって、電位が所定値である第１配線パターンと、
前記基板の前記一の面と反対側の他の面に配置され、電位が前記所定値である第２配線パターンと、
前記第１配線パターンと前記第２配線パターンとを接続する複数のスルーホールと、
前記第１配線パターン上にシルク印刷または刻印により形成される特定情報と、
読取機を用いることにより前記基板の識別情報の読み取りが可能になる識別記号と、
表面に前記識別記号が形成され、裏面に接着剤が塗布されたシールと
を備え、
前記複数のスルーホールは、前記一の面側に実装される部品が上に載っていないスルーホールを含み、
前記シールは前記一の面側の所定の貼付領域に貼り付けられ、
前記貼付領域全ては前記単一のベタ配線パターン上にあり、
前記複数のスルーホールおよび前記特定情報は前記貼付領域を避けるように配置されている
ことを特徴とする遊技機。
【請求項２】
前記スルーホールは前記貼付領域に隣接する所定の第１隣接領域を避けるように配置されていることを特徴とする請求項１に記載の遊技機。
【請求項３】
前記識別記号の配置領域および当該配置領域に隣接する所定の第２隣接領域は、前記一の面からの背の高さが所定値以上となる可能性がある特定部品を設置しない禁止領域とし、
前記配置領域の中心と前記所定の第２隣接領域の中心とが一致していないことを特徴とする請求項１または２に記載の遊技機。
【請求項４】
前記一の面に配置された複数の部品のうち、当該一の面からの背の高さが一番高い部品を、前記識別記号の配置領域および当該配置領域に隣接する所定の第２隣接領域には設置しないようにし、
前記配置領域の中心と前記所定の第２隣接領域の中心とが一致していない
ことを特徴とする請求項１または２に記載の遊技機。